(57)【要約】  【課題】  吸光度の低値から高値まで広い範囲で高精度な測定結果が得られる吸光度測定用センサ及び吸光度測定方法を提供する。  【解決手段】  最も容積の大きい第１の測定チャンバ１４が最も注入口１２に近い位置に配置され、続いて２番目に容積の大きい第２の測定チャンバ１５が第１の測定チャンバに接続され、続いて３番目に容積の大きい第３の測定チャンバ１６が第２の測定チャンバに接続され、最後に最も容積の小さい第４の測定チャンバ１７が第３の測定チャンバ１４に接続されている。同一検体を複数の高さの異なる測定チャンバで測定し、その吸光度結果から、透過率に対する吸光度の変化の小さい測定チャンバで得られた吸光度値を選択することで、より精度の高い測定が可能となる。【選択図】  図１
2007040814.tif 000002
【特許請求の範囲】
【請求項１】
ディスクに設けられた測定チャンバに収容された検体に照射された光が前記検体を透過して生ずる透過光を分析して前記検体の吸光度を測定する吸光度測定用センサにおいて、前記測定チャンバが前記透過光の光路長が異なる複数のチャンバを備えてなり、前記透過光の光路長が異なる複数のチャンバのうち測定に最適なチャンバを選択する選択手段を備え、前記選択手段により選択されたチャンバに収容された検体を透過する透過光を分析して前記検体の吸光度を測定してなる、吸光度測定用センサ。
【請求項２】
前記検体を受け入れる注入チャンバを備え、前記注入チャンバが受け入れた前記検体が流路を通じて前記測定チャンバに移送されてなる、請求項１に記載の吸光度測定用センサ。
【請求項３】
前記流路が分岐してなる複数の流路が形成され、前記測定チャンバを構成する前記透過光の光路長が異なる全てのチャンバに、前記複数の流路を通じて、前記注入チャンバから前記検体がチャンバごとに移送されてなる、請求項２に記載の吸光度測定用センサ。
【請求項４】
前記測定チャンバを構成する前記透過光の光路長の異なる全てのチャンバが一体に構成されてなる、請求項３に記載の吸光度測定用センサ。
【請求項５】
前記測定チャンバを構成する前記透過光の光路長の異なる全てのチャンバが、流路を介してカスケード接続されてなる、請求項２に記載の吸光度測定用センサ。
【請求項６】
前記測定チャンバを構成する、前記透過光の光路長の異なる全てのチャンバが、前記検体を収容する部分の容積が大きいチャンバから順に、前記注入チャンバからの流路長が短い位置に配置されてなる、請求項５に記載の吸光度測定用センサ。
【請求項７】
前記選択手段が、前記測定チャンバにおける前記透過光の光路長が異なる複数のチャンバのうち、前記チャンバに収容された検体の透過率に対する吸光度の変化が最小となるチャンバを選択してなる、請求項１に記載の吸光度測定用センサ。
【請求項８】
前記選択手段が、前記チャンバの光路長と前記検体のモル吸光係数とに基づいて定められた、透過率に対する吸光度の変化が最も小さい吸光度範囲内にあるチャンバのうち、測定した吸光度が前記吸光度範囲内にあるチャンバを選択してなる、請求項７に記載の吸光度測定用センサ。
【請求項９】
前記透過光の光路長が異なる複数のチャンバが、収容する検体が流路を介して相互に移送可能に構成されてなり、さらに、前記ディスクの回転を制御する制御手段を備え、測定した吸光度が、前記チャンバの光路長と前記検体のモル吸光係数とに基づいて定められた、透過率に対する吸光度の変化が最も小さい吸光度範囲内にない場合、前記選択手段が、選択するチャンバを代えて透過光の光路長が異なる他のチャンバを選択し、前記制御手段が、前記ディスクの回転を制御することにより、前記検体を前記他のチャンバに移送してなる、請求項７に記載の吸光度測定用センサ。
【請求項１０】
ディスクに設けられた、透過光の光路長が異なる複数のチャンバからなる測定チャンバに収容された検体に照射された光が、前記検体を透過して生ずる透過光を分析して前記検体の吸光度を測定する吸光度測定方法において、前記透過光の光路長が異なる複数のチャンバで吸光度を測定する第１工程と、前記第１工程において測定された吸光度が前記複数のチャンバのうち透過率に対する吸光度の変化が最も小さいチャンバにより測定されたか否かを判定する第２工程と、前記第１工程において測定された吸光度において透過率に対する吸光度の変化が最も小さいチャンバの測定値を出力する第３工程と、を有してなる、吸光度測定方法。
【請求項１１】
ディスクに設けられた、透過光の光路長が異なる複数のチャンバからなる測定チャンバに収容された検体に照射された光が、前記検体を透過して生ずる透過光を分析して前記検体の吸光度を測定する吸光度測定方法において、前記透過光の光路長が異なる複数のチャンバのうち第１チャンバで吸光度を測定する第１工程と、前記第１工程において測定された吸光度において前記複数のチャンバのうち透過率に対する吸光度の変化が最も小さいチャンバが前記第１チャンバであるか否かを判定する第２工程と、前記第１工程において測定された吸光度において透過率に対する吸光度の変化が最も小さいチャンバが前記第１チャンバであるとき前記第１チャンバの測定値を出力する第３工程と、を有してなる、吸光度測定方法。
【発明の詳細な説明】
【技術分野】
【０００１】
本発明は、検体と試薬とを反応させ、反応した検体の吸光度を測定する吸光度測定用センサ及び吸光度測定方法に関するものである。
【背景技術】
【０００２】
従来、吸光度測定用センサは、図１２に示すように、センサ本体１に検体を注入するための注入口２と、注入された検体を移送するための流路３と、移送された検体の吸光度を測定するための測定チャンバ４とから構成されていた。
【０００３】
また、この吸光度測定用センサを用いた測定装置は、図１３に示すように、センサ本体１を回転させるための回転部８と、測定チャンバ４に光６を照射するための光源５と、測定チャンバ４を透過した光６を受光して電気信号に変換するための受光部７と、受光部７からの電気信号を処理する信号処理部８とから構成されていた。
【０００４】
測定方法は、まず注入口２に検体を流し込み、回転部９の回転によって比重に差がある検体を分離、分離された検体が測定チャンバ４に充填される。そして、検体が充填された測定チャンバ４に光源５が光６を照射。照射された光６が検体を透過し、受光部７によって受光され、電気信号に変換されて信号処理部８に送られる。信号処理部８では電気信号を処理し、検体中の各成分の定量測定を行なっていた。
【０００５】
尚、この出願の発明に関する先行技術文献情報としては、例えば、特許文献１と特許文献２とが知られている。
【特許文献１】特開平３−２２５２７６号公報
【特許文献２】特開平２−２６９９６９号公報
【発明の開示】
【発明が解決しようとする課題】
【０００６】
検体の各成分を定量測定する方法としては、測定したい成分と試薬を反応させ、反応した検体に対して光を照射し、その光の吸収度合い（吸光度）を測定することで求めることができる。そのときの吸光度ＡＢＳは、入射光をＩｏ、出射光をＩとすると式（１）で表される。
【０００７】
ＡＢＳ  ＝  ｌｏｇ（Ｉｏ／Ｉ）                  ………  式（１）
ここで、測定対象物となる検体の吸光度変化が例えば０〜２とし、Ｉｏを１とした場合、Ｉは１〜０．０１と１００倍変化することになる。このとき変動係数ＣＶを３％以下にしようとすると、吸光度０．０２では標準偏差σ＝±０．０００６となり、ＩはＩ＝０．９５４９９、σ＝±０．００１３２となる。また、吸光度２ではσ＝±０．０６となり、ＩはＩ＝０．０１、σ＝＋０．００１４８、−０．００１２９となる。
【０００８】
このように、精度を確保しようとした場合、特に吸光度の低い領域と高い領域で、装置側はＩの微小な変化を読み取る必要がある。しかし、光源から出射される光量の安定性、Ｉの検出感度や検出精度は、部品の精度や温度変化、回路のノイズレベルによってある有限の値を持ち、極端に上げることは難しい。この場合、装置側はＣＶを下げる、もしくは所望のＣＶが確保できる吸光度範囲を絞る必要が出てくる。
【０００９】
本発明は、前記従来の課題を解決するもので、吸光度の低値から高値まで広い範囲で高精度な測定結果が得られる吸光度測定用センサ及び吸光度測定方法を提供することを目的とする。
【課題を解決するための手段】
【００１０】
前記従来の課題を解決するために、本発明の吸光度測定用センサは、ディスクに設けられた測定チャンバに収容された検体に照射された光が前記検体を透過して生ずる透過光を分析して前記検体の吸光度を測定する吸光度測定用センサにおいて、前記測定チャンバが前記透過光の光路長が異なる複数のチャンバを備えてなり、前記透過光の光路長が異なる複数のチャンバのうち測定に最適なチャンバを選択する選択手段を備え、前記選択手段により選択されたチャンバに収容された検体を透過する透過光を分析して前記検体の吸光度を測定してなる。
【００１１】
さらに、本発明の吸光度測定用センサは、前記検体を受け入れる注入チャンバを備え、前記注入チャンバが受け入れた前記検体が流路を通じて前記測定チャンバに移送されてなる。
【００１２】
さらに、本発明の吸光度測定用センサは、前記流路が分岐してなる複数の流路が形成され、前記測定チャンバを構成する前記透過光の光路長が異なる全てのチャンバに、前記複数の流路を通じて、前記注入チャンバから前記検体がチャンバごとに移送されてなる。
【００１３】
さらに、本発明の吸光度測定用センサは、前記測定チャンバを構成する前記透過光の光路長の異なる全てのチャンバが一体に構成されてなる。
【００１４】
さらに、本発明の吸光度測定用センサは、前記測定チャンバを構成する前記透過光の光路長の異なる全てのチャンバが、流路を介してカスケード接続されてなる。
【００１５】
さらに、本発明の吸光度測定用センサは、前記測定チャンバを構成する、前記透過光の光路長の異なる全てのチャンバが、前記検体を収容する部分の容積が大きいチャンバから順に、前記注入チャンバからの流路長が短い位置に配置されてなる。
【００１６】
さらに、本発明の吸光度測定用センサは、前記選択手段が、前記測定チャンバにおける前記透過光の光路長が異なる複数のチャンバのうち、前記チャンバに収容された検体の透過率に対する吸光度の変化が最小となるチャンバを選択してなる。
【００１７】
さらに、本発明の吸光度測定用センサは、前記選択手段が、前記チャンバの光路長と前記検体のモル吸光係数とに基づいて定められた、透過率に対する吸光度の変化が最も小さい吸光度範囲内にあるチャンバのうち、測定した吸光度が前記吸光度範囲内にあるチャンバを選択してなる。
【００１８】
さらに、本発明の吸光度測定用センサは、前記透過光の光路長が異なる複数のチャンバが、収容する検体が流路を介して相互に移送可能に構成されてなり、さらに、前記ディスクの回転を制御する制御手段を備え、測定した吸光度が、前記チャンバの光路長と前記検体のモル吸光係数とに基づいて定められた、透過率に対する吸光度の変化が最も小さい吸光度範囲内にない場合、前記選択手段が、選択するチャンバを代えて透過光の光路長が異なる他のチャンバを選択し、前記制御手段が、前記ディスクの回転を制御することにより、前記検体を前記他のチャンバに移送してなる。
【００１９】
さらに、本発明の吸光度測定用センサは、ディスクに設けられた、透過光の光路長が異なる複数のチャンバからなる測定チャンバに収容された検体に照射された光が、前記検体を透過して生ずる透過光を分析して前記検体の吸光度を測定する吸光度測定方法において、前記透過光の光路長が異なる複数のチャンバで吸光度を測定する第１工程と、前記第１工程において測定された吸光度が前記複数のチャンバのうち透過率に対する吸光度の変化が最も小さいチャンバにより測定されたか否かを判定する第２工程と、前記第１工程において測定された吸光度において透過率に対する吸光度の変化が最も小さいチャンバの測定値を出力する第３工程と、を有してなる。
【００２０】
さらに、本発明の吸光度測定用センサは、ディスクに設けられた、透過光の光路長が異なる複数のチャンバからなる測定チャンバに収容された検体に照射された光が、前記検体を透過して生ずる透過光を分析して前記検体の吸光度を測定する吸光度測定方法において、前記透過光の光路長が異なる複数のチャンバのうち第１チャンバで吸光度を測定する第１工程と、前記第１工程において測定された吸光度において前記複数のチャンバのうち透過率に対する吸光度の変化が最も小さいチャンバが前記第１チャンバであるか否かを判定する第２工程と、前記第１工程において測定された吸光度において透過率に対する吸光度の変化が最も小さいチャンバが前記第１チャンバであるとき前記第１チャンバの測定値を出力する第３工程と、を有してなる。
【発明の効果】
【００２１】
本発明によれば、吸光度の低い領域、高い領域で高精度な測定結果が得られる吸光度測定用センサ及び吸光度測定方法を提供できる。
【発明を実施するための最良の形態】
【００２２】
（実施の形態１）
以下、図面に基づいて本発明の実施の形態１における吸光度測定用センサと吸光度測定方法について説明する。
【００２３】
図１は、本実施の形態における吸光度測定用センサの概観図を示すものである。
【００２４】
図１において、１１はセンサ本体であり、このセンサ本体１１は透明又は半透明な材料で形成されている。１２はセンサ本体１１内部に形成された検体を注入するための注入チャンバで、上面の全部又は一部に検体注入用の穴が設けられている。１４は第１の測定チャンバ、１５は第２の測定チャンバ、１６は第３の測定チャンバ、１７は第４の測定チャンバである。
【００２５】
１３は注入された検体を測定チャンバに移送させるための流路Ａで、一方が注入チャンバ１２と接続され、もう一方は４つに分岐し、第１の測定チャンバ１４、第２の測定チャンバ１５、第３の測定チャンバ１６、第４の測定チャンバ１７にそれぞれ接続されている。尚、第１の測定チャンバ高さを３、第２の測定チャンバの高さを２、第３の測定チャンバの高さを１、第４の測定チャンバの高さを０．５とし、すべての測定チャンバは、センサ本体１１の中心から同心円上に配置されている。
【００２６】
図２は、本実施の形態における他の吸光度測定用センサの概観図を示すものである。
【００２７】
図２において、１９は第１の測定チャンバ１４、第２の測定チャンバ１５、第３の測定チャンバ１６、第４の測定チャンバ１７が一体になった測定チャンバで、１８は注入チャンバ１２と測定チャンバ１９を一対一で接続する流路Ｂである。
他の吸光度測定用センサは、吸光度測定用センサの４つの測定チャンバを一体にしたもので、動作は吸光度測定用センサと全く同じであるが、測定チャンバが一体となっているため省スペースで実現できるメリットがある。
【００２８】
図３は、測定チャンバの断面図である。
【００２９】
図３において、２１は高さＬのチャンバで、２０はチャンバ２１に充填されているモル吸光係数εの検体である。
【００３０】
ここで、溶液濃度をＣとすると、溶液における光路長Ｌと吸光度ＡＢＳの関係は、式（２）となる。更に式（１）と式（２）から、透過率は式（３）で表される。
【００３１】
ＡＢＳ  ＝  εＣＬ                              ………  式（２）
Ｉ／Ｉｏ  ＝  １０-εCL  ＝  １０-ABS          ………  式（３）
ここで、仮にε＝１、Ｌ＝０．５，１，２，３で、Ｃが０〜２まで変化するときの式（３）をグラフにすると図４になる。
また、図４の吸光度の低い領域を拡大したグラフが図５で、吸光度の高い領域を拡大したグラフが図６である。
【００３２】
吸光度の測定に際しては、吸光による出射光Ｉを測定し、予め測定しておいた入射光Ｉｏと式（２）を用いて吸光度を算出する。このような場合において、吸光度をより精度よく測定するためには、透過率の測定精度を上げる必要があるが、上記でも述べたように、光源からの出射される光量の安定性、Ｉの検出感度や検出精度は、部品の精度や温度変化、回路のノイズレベルによってある有限の値を持ち、極端に上げることは難しい。しかし、根本的な透過率の測定精度が同じ場合でも、透過率を吸光度に変換する過程において、透過率に対する吸光度の変化を小さくすることで、最終結果である吸光度の測定精度を上げることは可能である。
【００３３】
図５において、４つのグラフの中で透過率に対する吸光度の変化が一番小さいものはＬ＝３のグラフである。このことから、吸光度の低い領域では、Ｌ＝０．５，１，２の測定チャンバよりＬ＝３の測定チャンバを使用することで、吸光度の測定精度を上げることが可能である。
【００３４】
図６において、４つのグラフの中で透過率に対する吸光度の変化が一番小さいものはＬ＝０．５のグラフである。このことから、吸光度の高い領域では、Ｌ＝１，２，３の測定チャンバよりＬ＝０．５の測定チャンバを使用することで、吸光度の測定精度を上げることが可能である。
【００３５】
ここで、透過率に対する吸光度の変化はグラフの傾きで表され、図４、図５、図６では、この傾きが大きいほど透過率に対する吸光度の変化が小さく、吸光度の測定精度が良いと言える。
【００３６】
図７は、図４のグラフを微分して絶対値を求めたもので、吸光度に対する透過率の傾きの絶対値を示したグラフである。
【００３７】
図７において、４つのグラフで傾きが大きくなる吸光度範囲が異なることが分かる。吸光度０〜０．１５ではＬ＝３が、吸光度０．１５〜０．３ではＬ＝２が、吸光度０．３〜０．６ではＬ＝１が、吸光度０．６以上ではＬ＝０．５が他のグラフに比べて傾きが最も大きくなっていることが分かる。このことから、測定対象物が取る吸光度値において、傾きが最も大きいグラフの光路長を有するチャンバで測定することで、より正確に吸光度の測定が可能になる。
【００３８】
以下、図８を用いて、本実施の形態における測定装置について説明する。
図８において、２２は指向性を持った光源、２３は光源２２をセンサ本体１１の内外周方向に移動させるための移動部、２４はセンサ本体１１を回転させる回転部、２５は光源２２から発する光、２６はセンサ本体１１を透過した光２５を受光しアナログ電気信号に変換する受光部、２７は受光部２６からのアナログ電気信号を増幅するアンプ、２８はアナログ電気信号をディジタルデータに変換するためのＡＤＣ、２９はＡＤＣ２８からのディジタルデータを用いて吸光度計算をする吸光度計算部、３０は吸光度計算部２９の結果を参照し、その中から最適な値を選択する結果選択部、３１は結果選択部３１で選択された値を表示する表示部である。
【００３９】
まず測定したい検体をピペット等で注入チャンバ１２に注入。その後、センサ１１を回転部２４にセットする。セット後、センサ１１が所定の回転数で回転し、その遠心力で検体が流路Ａ１３を通り第１の測定チャンバ１４、第２の測定チャンバ１５、第３の測定チャンバ１６、第４の測定チャンバ１７に等しく移送される。
ここで、試薬は流路Ａ１３内、又は図示しない試薬チャンバに塗られており、検体がそこを通ることで呈色反応や凝集反応等の化学的な反応が起こる。尚、必要な場合は流路Ａ１３に遠心分離用チャンバを設け、遠心分離用チャンバに検体があるときに回転部２４が高速回転することにより、比重の違う検体を分離して必要成分を抽出することも可能である。
【００４０】
また、注入チャンバ１２や流路Ａ１３に濾紙又はフィルタを設け、必要成分のみ抽出することも可能である。また、検体液面の高さが変動すると光路長に差が生じ、吸光度に誤差が生じるため、常に一定な高さを保つ必要がある。そのためには、所定の回転数以上の回転を保って、遠心力で検体を常に測定チャンバに充填しておくか、若しくは、オーバーフローチャンバを設けて、ある高さ以上になるとそこに流れ込むような構造にして検体高さを一定に保つようにする必要がある。
【００４１】
光源２２は、移動部２３によってセンサ本体１１の内外周方向に移動が可能であり、測定の際には、所定回転数で回転しているセンサ本体１１の中心から同心円上に配置された第１の測定チャンバ１４、第２の測定チャンバ１５、第３の測定チャンバ１６、第４の測定チャンバ１７と図示しないリファレンスチャンバの真下に位置し、すべての測定チャンバと図示しないリファレンスチャンバに対して同じ光量の光２５を照射する。
【００４２】
ここで、図示しないリファレンスチャンバとは、吸光度を計算するための基準となる入射光量Ｉｏを測定するためのもので、チャンバ内は、空気、若しくは、検体と同じ屈折率をもつ物質で満たされている。
【００４３】
照射された光２５は、検体で満たされたすべての測定チャンバとリファレンスチャンバを透過し、その透過光は光検出部２６で受光される。光検出部２６で受光された光は電気信号に変換され、アンプ２７で測定に必要なダイナミックレンジが取れるレベルまで増幅されＡＤＣ２８に入力される。ＡＤＣ２８に入力された電気信号はディジタルデータに変換され吸光度計算部２９に送られる。
【００４４】
ここで、図９を用いて、ＡＤＣデータ取得から結果表示までの流れを説明する。
図９において、吸光度計算部２９は、ＡＤＣ２８からディジタルデータとして送られてくる第１の測定チャンバ１４の透過光量Ｉ14、第２の測定チャンバ１５の透過光量Ｉ15、第３の測定チャンバの透過光量Ｉ16、第４の測定チャンバの透過光量Ｉ17とリファレンスチャンバの透過光量Ｉｏを受け取る。ここで、各測定チャンバの透過光量Ｉ14〜17とリファレンスチャンバの透過光量Ｉｏは、式（２）におけるＩとＩｏにそれぞれ相当するため、各測定チャンバ１４〜１７での吸光度計算式は、式（４）、式（５）、式（６）、式（７）で表される。吸光度計算部２９は、式（４）、式（５）、式（６）、式（７）から第１の測定チャンバ１４、第２の測定チャンバ１５、第３の測定チャンバ１６、第４の測定チャンバ１７それぞれの吸光度ＡＢＳ14、ＡＢＳ15、ＡＢＳ16、ＡＢＳ17を計算し、結果選択部３０に転送する。
【００４５】
ＡＢＳ14  ＝  １／３＊ｌｏｇ（Ｉｏ／Ｉ14）        ………  式（４）
ＡＢＳ15  ＝  １／２＊ｌｏｇ（Ｉｏ／Ｉ15）        ………  式（５）
ＡＢＳ16  ＝  ｌｏｇ（Ｉｏ／Ｉ16）                ………  式（６）
ＡＢＳ17  ＝  ２＊ｌｏｇ（Ｉｏ／Ｉ17）            ………  式（７）
次に結果選択部３０は、ＡＢＳ14が０〜０．１５の範囲にあるか否かを見て、範囲内であれば計算したＡＢＳ14を表示部３１に送る。範囲外の場合、今度はＡＢＳ15が０．１５〜０．３の範囲にあるか否かを見て、範囲内であれば計算したＡＢＳ15を表示部３１に送る。更に範囲外の場合、今度はＡＢＳ16が０．３〜０．６の範囲にあるか否かを見て、範囲内であれば計算したＡＢＳ16を表示部３１に送る。それでも範囲外の場合は、無条件にＡＢＳ17を表示部３１に送る。
【００４６】
以上のように、本実施の形態においては、同一検体を複数の高さの異なる測定チャンバで測定し、その吸光度結果から、透過率に対する吸光度の変化の小さい測定チャンバで得られた吸光度値を選択することで、より精度の高い測定が可能となる。
【００４７】
（実施の形態２）
図１０は、本発明の実施の形態２における吸光度測定用センサの概観図である。実施の形態２において実施の形態１と同じものについては同一符号を付して説明を簡略化している。
【００４８】
図１０において、３２は測定チャンバ同士をカスケード接続し、毛細管力によって検体を移送させるサイフォン構造を有した流路Ｃである。また、最も容積の大きい第１の測定チャンバ１４が最も注入口１２に近い位置に配置され、続いて２番目に容積の大きい第２の測定チャンバ１５が第１の測定チャンバに接続され、続いて３番目に容積の大きい第３の測定チャンバ１６が第２の測定チャンバに接続され、最後に最も容積の小さい第４の測定チャンバ１７が第３の測定チャンバ１４に接続されている。
【００４９】
次に、図１１の吸光度測定フローチャートを用いて動作の説明を行う。
【００５０】
まず注入口１２に入れた検体が、回転部２４の回転による遠心力によって第１の測定チャンバ１４に送られる。検体が第１の測定チャンバ１４にあるとき、光源２２が移動部２３によって、第１の測定チャンバ１４の真下に移動し、そこで第１の測定チャンバ１４に対して光２５を照射。その透過光は光検出部２６で受光される。このとき、センサ本体１１は光検出部２６で受光された光は電気信号に変換され、アンプ２７で測定に必要なダイナミックレンジが取れるレベルまで増幅されＡＤＣ２８に入力される。
【００５１】
ＡＤＣ２８に入力された電気信号はディジタルデータに変換され吸光度計算部２９に送られ、そこで透過光量Ｉ14と予め取得しておいた図示しないリファレンスチャンバの透過光量Ｉｏと式（４）から吸光度ＡＢＳ14が計算される。計算された吸光度ＡＢＳ14は結果選択部３０に送られる。次に結果選択部３０は、ＡＢＳ14が０〜０．１５の範囲にあるか否かを見て、範囲内であれば計算したＡＢＳ14を表示部３１に送る。範囲外の場合、回転部２３は所定回転数で回転していた回転を停止するか、回転数を落とす。それに伴って、毛細管力が遠心力を上回り、検体は流路Ｃ３２を通って第１の測定チャンバ１４から第２の測定チャンバ１５に送られる。送られた後、回転部２４は再度所定回転数で回転を行う。
【００５２】
次に、光源２２は第２の測定チャンバ１５の真下に移動し、前回同様光２５を照射し、透過光量Ｉ15を取得。吸光度計算部２９は、透過光量Ｉ15とＩｏと式（５）を用いて吸光度ＡＢＳ15を計算する。計算された吸光度ＡＢＳ15は前回同様結果選択部３０に送られる。次に結果選択部３０は、ＡＢＳ15が０．１５〜０．３の範囲にあるか否かを見て、範囲内であれば計算したＡＢＳ15を表示部３１に送る。範囲外の場合、回転部２３は所定回転数で回転していた回転を停止するか、回転数を落とす。それによって、検体は流路Ｃ３２を通って第２の測定チャンバ１５から第３の測定チャンバ１６に送られる。
【００５３】
次に光源２２は第３の測定チャンバ１６の真下に移動し、透過光量Ｉ16を取得、Ｉｏと式（６）を用いて吸光度ＡＢＳ16を計算する。計算された吸光度ＡＢＳ16は前回同様結果選択部３０に送られる。結果選択部３０は、ＡＢＳ16が０．３〜０．６の範囲にあるか否かを見て、範囲内であれば計算したＡＢＳ16を表示部３１に送る。範囲外の場合、回転部２３は所定回転数で回転していた回転を停止するか、回転数を落とし、検体は流路Ｃ３２を通って第３の測定チャンバ１６から第４の測定チャンバ１７に送られる。
【００５４】
次に光源２２は第４の測定チャンバ１７の真下に移動し、透過光量Ｉ17を取得、Ｉｏと式（７）を用いて吸光度ＡＢＳ17を計算する。計算された吸光度ＡＢＳ17は前回同様結果選択部３０に送られる。結果選択部３０は、ＡＢＳ17表示部３１に送る。
【００５５】
以上のように、本実施の形態においては、同一検体を複数の高さの異なる測定チャンバで測定し、その吸光度結果から、透過率に対する吸光度の変化の小さい測定チャンバで得られた吸光度値を選択することで、より精度の高い測定が可能となる。また、検体を移動させて順次測定を行うため、検体量は実施の形態１に比べてはるかに少なくて済む。
【産業上の利用可能性】
【００５６】
本発明にかかる吸光度測定用センサと測定装置及び測定方法によれば、測定対象物の吸光度値において、透過率に対する吸光度の変化の小さな光路長を持った測定チャンバを選択することで、測定誤差を少なくできるため、精度の高い吸光度測定装置に適用できる。
【図面の簡単な説明】
【００５７】
【図１】本発明の実施の形態１における吸光度測定用センサの概観図
【図２】本発明の実施の形態１における他の吸光度測定用センサの概観図
【図３】本発明の実施の形態１における測定チャンバの断面図
【図４】本発明の実施の形態１における吸光度対透過率グラフ
【図５】本発明の実施の形態１における吸光度（吸光度低値）対透過率グラフ
【図６】本発明の実施の形態１における吸光度（吸光度高値）対透過率グラフ
【図７】本発明の実施の形態１における吸光度対透過率傾きグラフ
【図８】本発明の実施の形態１における測定装置ブロック図
【図９】本発明の実施の形態１における吸光度測定フローチャート
【図１０】本発明の実施の形態２における吸光度測定用センサの概観図
【図１１】本発明の実施の形態２における吸光度測定フローチャート
【図１２】従来の吸光度測定用センサの概観図
【図１３】従来の吸光度測定装置のブロック図
【符号の説明】
【００５８】
１１  センサ本体
１２  注入チャンバ
１３  流路Ａ
１４  第１の測定チャンバ
１５  第２の測定チャンバ
１６  第３の測定チャンバ
１７  第４の測定チャンバ
１８  流路Ｂ
１９  一体型測定チャンバ
２０  検体
２１  測定チャンバ
２２  光源
２３  移動部
２４  回転部
２５  光
２６  受光部
２７  アンプ
２８  ＡＤＣ
２９  吸光度計算部
３０  結果選択部
３１  表示部
３２  流路Ｃ
【図１】
2007040814.tif 000003
【図２】
2007040814.tif 000004
【図３】
2007040814.tif 000005
【図４】
2007040814.tif 000006
【図５】
2007040814.tif 000007
【図６】
2007040814.tif 000008
【図７】
2007040814.tif 000009
【図８】
2007040814.tif 000010
【図９】
2007040814.tif 000011
【図１０】
2007040814.tif 000012
【図１１】
2007040814.tif 000013
【図１２】
2007040814.tif 000014
【図１３】
2007040814.tif 000015